(57)【要約】【課題】  被壁掛け部材と壁面との間に大きな隙間を生じることなく、簡単には被壁掛け部材が脱落することのない壁掛け構造およびこれを実現するための壁掛け具を提供する。【解決手段】  本発明の壁掛け構造は、被壁掛け部材としての空気清浄機１００に取付けられた空気清浄機側壁掛け具３００と、壁面４００に設けられた壁面側壁掛け具２００とを用いた壁掛け構造である。壁面側壁掛け具２００は、掛止状態から、空気清浄機側壁掛け具３００の鉛直方向上向きの移動を案内する第１案内部と、空気清浄機側壁掛け具３００の水平方向の移動を案内する第２案内部とを備えている。そして、空気清浄機側壁掛け具３００が鉛直方向上向きに移動し、さらに水平方向に移動した状態において、空気清浄機１００が壁面４００から外れるように構成されている。【選択図】        図１２
2005079469.tif 000002
【特許請求の範囲】
【請求項１】
被壁掛け部材（１００）に設けられた被壁掛け部材側取付け部（３００）と、壁面（４００）に設けられた壁面側取付け部（２００）とを用い、前記被壁掛け部材（１００）を前記壁面（４００）に着脱自在に取付ける、被壁掛け部材の壁掛け構造であって、
前記壁面側取付け部（２００）は、
前記被壁掛け部材側取付け部（３００）が前記壁面側取付け部（２００）に掛止された掛止状態から、鉛直方向上向きに第１の距離だけ移動可能となるように、前記被壁掛け部材側取付け部（３００）の移動を案内する第１案内部（２２１）と、
前記第１の距離だけ前記被壁掛け部材側取付け部（３００）が移動した第１の状態において、前記被壁掛け部材側取付け部（３００）が水平方向に第２の距離だけ移動可能となるように、前記被壁掛け部材側取付け部（３００）の移動を案内する第２案内部（２３１）と、
を備え、
前記第２の距離だけ前記被壁掛け部材側取付け部（３００）が移動した第２の状態において、前記被壁掛け部材側取付け部（３００）が前記壁面側取付け部（２００）による掛止から解除されるように構成された、壁掛け構造。
【請求項２】
前記掛止状態から前記第２の状態に至るまでの間、前記被壁掛け部材（１００）と前記壁面（４００）との間の距離が実質的に一定に保たれるように構成された、請求項１に記載の壁掛け構造。
【請求項３】
前記被壁掛け部材側取付け部（３００）は、前記被壁掛け部材（１００）の背面（１１３）に取付けられた壁掛け具からなる、請求項１または２に記載の壁掛け構造。
【請求項４】
前記壁面側取付け部（２００）は、前記壁面（４００）に取付けられた壁掛け具からなる、請求項１から３のいずれかに記載の壁掛け構造。
【請求項５】
被壁掛け部材（１００）を壁面（４００）に着脱自在に取付ける壁掛け具であって、
前記壁掛け具は、壁面側壁掛け具（２００）と、被壁掛け部材側壁掛け具（３００）とを備え、
前記壁面側壁掛け具（２００）は、
前記被壁掛け部材側壁掛け具（３００）が前記壁面側壁掛け具（２００）に掛止された掛止状態から、鉛直方向上向きに第１の距離だけ移動可能となるように、前記被壁掛け部材側壁掛け具（３００）の移動を案内する第１案内部（２２１）と、
前記第１の距離だけ前記被壁掛け部材側壁掛け具（３００）が移動した第１の状態において、前記被壁掛け部材側壁掛け具（３００）が水平方向に第２の距離だけ移動可能となるように、前記被壁掛け部材側壁掛け具（３００）の移動を案内する第２案内部（２３１）と、
を有し、
前記第２の距離だけ前記被壁掛け部材側壁掛け具（３００）が移動した第２の状態において、前記被壁掛け部材側壁掛け具（３００）が前記壁面側壁掛け具（２００）による掛止から解除されるように構成された、壁掛け具。
【請求項６】
前記掛止状態から前記第２の状態に至るまでの間、前記被壁掛け部材（１００）と前記壁面（４００）との間の距離が実質的に一定に保たれるように構成された、請求項５に記載の壁掛け具。
【請求項７】
被壁掛け部材（１００）に設けられた被壁掛け部材側取付け部（３００）と、壁面（４００）に設けられた壁面側取付け部（２００）とを用い、前記被壁掛け部材（１００）を前記壁面（４００）に着脱自在に取付ける、被壁掛け部材の壁掛け構造であって、
前記壁面側取付け部（２００）は、前記壁面（４００）に設けられた第１ベース部（２１０）と、前記第１ベース部（２１０）から前記被壁掛け部材（１００）側に向かって突出して設けられ、先端が上方に向かって折り曲げられた掛止部（２２０）と、前記第１ベース部（２１０）から前記被壁掛け部材（１００）側に向かって突出して設けられた第１爪部（２３０）とを有し、
前記被壁掛け部材側取付け部（３００）は、前記被壁掛け部材（１００）に設けられた第２ベース部（３１０）と、前記第２ベース部（３１０）から前記壁面（４００）側に向かって突出して設けられ、先端が下方に向かって折り曲げられた被掛止部（３２０）と、前記第２ベース部（３１０）から前記壁面（４００）側に向かって突出して設けられた第２爪部（３３０）とを有し、
前記被掛止部（３２０）の先端は、前記掛止部（２２０）を受け入れる切欠き部（３２１）を含み、
前記第１爪部（２３０）は、前記掛止部（２２０）が前記切欠き部（３２１）に受け入れられた状態において、前記第２爪部（３３０）の鉛直上方に距離を置いて位置し、かつ前記掛止部（２２０）が鉛直方向上向きに移動し前記切欠き部（３２１）から外れた状態において、前記第２爪部（３３０）に当接するように構成され、
前記掛止部（２２０）が前記切欠き部（３２１）に受入れられた状態において、前記被壁掛け部材（１００）が前記壁面（４００）に固定され、
前記掛止部（２２０）が前記切欠き部（３２１）から外れた状態において、前記被壁掛け部材側取付け部（３００）を水平方向に移動させることにより、前記被壁掛け部材（１００）が前記壁面（４００）から取り外されるように構成された、壁掛け構造。
【請求項８】
前記掛止部（２２０）および前記第１爪部（２３０）が、前記第１ベース部（２１０）にそれぞれ左右一対設けられ、
前記被掛止部（３２０）および前記第２爪部（３３０）が、前記第２ベース部（３１０）にそれぞれ左右一対設けられている、請求項７に記載の壁掛け構造。
【請求項９】
前記被壁掛け部材側取付け部（３００）は、前記被壁掛け部材（１００）の背面（１１３）に取付けられた壁掛け具からなる、請求項７または８に記載の壁掛け構造。
【請求項１０】
前記壁面側取付け部（２００）は、前記壁面（４００）に取付けられた壁掛け具からなる、請求項７から９のいずれかに記載の壁掛け構造。
【請求項１１】
被壁掛け部材（１００）を壁面（４００）に着脱自在に取付ける壁掛け具であって、
前記壁掛け具は、壁面側壁掛け具（２００）と、被壁掛け部材側壁掛け具（３００）とを備え、
前記壁面側取付け部（２００）は、前記壁面（４００）に設けられた第１ベース部（２１０）と、前記第１ベース部（２１０）から前記被壁掛け部材（１００）側に向かって突出して設けられ、先端が上方に向かって折り曲げられた掛止部（２２０）と、前記第１ベース部（２１０）から前記被壁掛け部材（１００）側に向かって突出して設けられた第１爪部（２３０）とを有し、
前記被壁掛け部材側取付け部（３００）は、前記被壁掛け部材（１００）に設けられた第２ベース部（３１０）と、前記第２ベース部（３１０）から前記壁面（４００）側に向かって突出して設けられ、先端が下方に向かって折り曲げられた被掛止部（３２０）と、前記第２ベース部（３１０）から前記壁面（４００）側に向かって突出して設けられた第２爪部（３３０）とを有し、
前記被掛止部（３２０）の先端は、前記掛止部（２２０）を受け入れる切欠き部（３２１）を含み、
前記第１爪部（２３０）は、前記掛止部（２２０）が前記切欠き部（３２１）に受け入れられた状態において、前記第２爪部（３３０）の鉛直上方に距離を置いて位置し、かつ前記掛止部（２２０）が鉛直方向上向きに移動し前記切欠き部（３２１）から外れた状態において、前記第２爪部（３３０）に当接するように構成され、
前記掛止部（２２０）が前記切欠き部（３２１）に受入れられた状態において、前記被壁掛け部材（１００）が前記壁面（４００）に固定され、
前記掛止部（２２０）が前記切欠き部（３２１）から外れた状態において、前記被壁掛け部材側取付け部（３００）を水平方向に移動させることにより、前記被壁掛け部材（１００）が前記壁面（４００）から取り外されるように構成された、壁掛け具。
【請求項１２】
前記掛止部（２２０）および前記第１爪部（２３０）が、前記第１ベース部（２１０）にそれぞれ左右一対設けられ、
前記被掛止部（３２０）および前記第２爪部（３３０）が、前記第２ベース部（３１０）にそれぞれ左右一対設けられている、請求項１１に記載の壁掛け具。
【発明の詳細な説明】
【技術分野】
【０００１】
本発明は、被壁掛け部材の壁掛け構造およびそれを実現するために用いられる壁掛け具に関し、たとえば、空気調節装置に代表される電気機器等の壁掛け構造およびそれを実現するために用いられる壁掛け具に関する。
【背景技術】
【０００２】
壁面に対して取付けられる被壁掛け部材には種々のものが存在する。たとえば、室内においては、額縁や棚、空気調節装置や電話機に代表される電気機器などがそれに該当し、室外においては、看板や掲示板、空気調和機の室外機などがそれに該当する。このような被壁掛け部材の壁掛け構造には、従来から種々のものが存在している。
【０００３】
たとえば、室内の壁面に空気清浄機を設置する場合を例に取り、従来の壁掛け構造の一例について説明する。空気清浄機においては、床面上や卓上に設置する「据置き式」の空気清浄機が家庭用の空気清浄機として広く普及しているが、人の往き来の邪魔にならないように壁面に対して取付ける「壁掛け式」の空気清浄機も普及しつつある。
【０００４】
空気清浄機の壁掛け構造としては、たとえば、実開平２−２０９１７号公報（特許文献１）に開示の壁掛け構造がある。この壁掛け構造では、空気清浄機の本体裏面に軸受け部を設け、この軸受け部に枠形の脚本体を回動自在に軸支し、脚本体の上部に壁面への掛止部を形成したものである。そして、壁面に取付けた壁掛け具に上記掛止部を引っ掛けることにより、空気清浄機が壁面に設置される。
【０００５】
このような壁掛け構造では、空気清浄機本体に何らかの外力が加わった場合（たとえば、地震発生時等）に簡単に空気清浄機が壁面から脱落してしまうおそれがあり、非常に危険である。そこで、簡単には空気清浄機が脱落しないように工夫された空気清浄機の壁掛け構造として、以下のものがある。
【０００６】
図１７は、従来の空気清浄機の壁掛け構造において用いられる壁面側壁掛け具の正面図であり、図１８は、空気清浄機側壁掛け具の背面図である。まず、これらの図を参照して、従来の壁掛け具の構造について説明する。
【０００７】
図１７に示すように、従来の壁面側壁掛け具１２００は、壁面に取付けられる第１ベース部１２１０と、この第１ベース部１２１０から前方に向かって突設された掛止部１２２０および第１爪部１２３０とを有する。掛止部１２２０および第１爪部１２３０は、第１ベース部１２１０にそれぞれ左右一対設けられている。掛止部１２２０の先端は、それぞれ上方に向かって折り曲げられている。なお、第１ベース部１２１０の所定位置には、壁面側壁掛け具１２００を壁面にねじ止めするためのねじ穴１２４０が複数箇所設けられている。
【０００８】
図１８に示すように、従来の空気清浄機側壁掛け具１３００は、空気清浄機の背面に取付けられる第２ベース部１３１０と、この第２ベース部１３１０から後方に向かって突設された被掛止部１３２０および第２爪部１３３０とを有する。被掛止部１３２０および第２爪部１３３０は、第２ベース部１３１０にそれぞれ左右一対設けられている。一対の被掛止部１３２０の先端は、それぞれ側方に向かって折り曲げられており、反対側に向かって延在している。なお、第２ベース部１３１０の所定位置には、空気清浄機側壁掛け具１３００を空気清浄機の背面にねじ止めするためのねじ穴１３４０が複数箇所設けられている。
【０００９】
図１９は、上記壁掛け具を用いた従来の空気清浄機の壁掛け構造を示す模式側面図である。以下、この図を参照して、従来の空気清浄機の壁掛け構造について詳細に説明する。なお、理解を容易とするために、図１９においては取付け用のねじの図示を省略している。
【００１０】
図１９に示すように、空気清浄機の筐体１１０の背面１１３に取付けられた空気清浄機側壁掛け具１３００の被掛止部１３２０が、壁面４００に取付けられた壁面側壁掛け具１２００の掛止部１２２０に引っ掛けられて掛止されることにより、空気清浄機が壁面４００に取付けられる。この状態において、空気清浄機側壁掛け具１３００の第２爪部１３３０の先端は、壁面側壁掛け具１２００の第１ベース部１２１０に当接しており、これにより、空気清浄機の筐体１１０の背面１１３が壁面４００と略平行に保たれている。また、図示する掛止状態においては、壁面側壁掛け具１２００の第１爪部１２３０と、空気清浄機側壁掛け具１３００の第２爪部１３３０とは当接しておらず、鉛直方向に距離を置いて位置している。
【００１１】
上記壁掛け構造では、何らかの外力が空気清浄機に加わった場合にも簡単には空気清浄機が壁面から脱落することがないように工夫されている。すなわち、上記壁掛け構造にあっては、空気清浄機が上方に持ち上げられた場合に、空気清浄機側壁掛け具１３００の第２爪部１３３０の上面が壁面側壁掛け具１２００の第１爪部１２３０の下面に当接し、それ以上、空気清浄機が上方に持ち上げられることがないように構成されている。このため、掛止部１２２０による被掛止部１３２０の掛止が解除されず、空気清浄機の壁面４００からの脱落が防止されている。
【００１２】
上記壁掛け構造では、所定の掛止解除動作を行なわない限り、空気清浄機が壁面から外れないように構成されている。図２０は、上記従来の空気清浄機の壁掛け構造において、空気清浄機を壁面から取り外す場合の掛止解除動作を示す模式図である。この図を参照して、空気清浄機を壁面から取り外す場合の掛止解除動作について説明する。なお、理解を容易とするために、図２０においては壁面側壁掛け具１２００および空気清浄機側壁掛け具１３００のみを図示している。
【００１３】
壁面に固定された空気清浄機を取り外す場合には、空気清浄機の本体下部を壁面とは遠ざかる方向、すなわち作業者から見て手前に引っ張る。これにより、図２０（ａ）に示すように、空気清浄機の筐体の背面に取付けられた空気清浄機側壁掛け具１３００もその下部が図中矢印Ｃ１方向に移動する。この結果、壁面側壁掛け具１２００の第１爪部１２３０の真下に位置していた空気清浄機側壁掛け具１３００の第２爪部１３３０が、図示するように第１爪部１２３０の下方に位置しなくなる。
【００１４】
次に、この状態を保ったまま、空気清浄機の本体を鉛直上方に持ち上げる。これにより、図２０（ｂ）に示すように、空気清浄機側壁掛け具１３００も図中矢印Ｃ２方向に移動する。このとき、第２爪部１３３０は、第１爪部１２３０に接触することなく上方に移動すため、被掛止部１３２０が掛止部１２２０から外れ、掛止が解除される。以上により、空気清浄機が壁面から取り外される。
【００１５】
以上において説明した従来の空気清浄機の壁掛け構造にあっては、壁掛け具の構造上、空気清浄機の背面と壁面との間に大きな隙間が生じてしまう問題があった。この隙間は、外観上の美観を損ねるばかりでなく、設置安定性の面からも好ましいものではない。
【特許文献１】実開平２−２０９１７号公報
【発明の開示】
【発明が解決しようとする課題】
【００１６】
本発明の課題は、外力が加わっても簡単には被壁掛け部材が脱落することのない壁掛け構造を採用した場合に、被壁掛け部材と壁面との間に大きな隙間が生じてしまうことにある。したがって、本発明は、被壁掛け部材と壁面との間に大きな隙間を生じることなく、簡単には被壁掛け部材が脱落することのない壁掛け構造およびこれを実現するための壁掛け具を提供することを目的とする。
【課題を解決するための手段】
【００１７】
本発明の第１の局面に基づく壁掛け構造は、被壁掛け部材に設けられた被壁掛け部材側取付け部と、壁面に設けられた壁面側取付け部とを用い、被壁掛け部材を壁面に着脱自在に取付けるものである。壁面側取付け部は、被壁掛け部材側取付け部が壁面側取付け部に掛止された掛止状態から、鉛直方向上向きに第１の距離だけ移動可能となるように、被壁掛け部材側取付け部の移動を案内する第１案内部と、上記第１の距離だけ被壁掛け部材側取付け部が移動した第１の状態において、被壁掛け部材側取付け部が水平方向に第２の距離だけ移動可能となるように、被壁掛け部材側取付け部の移動を案内する第２案内部とを備えている。そして、本壁掛け構造においては、上記第２の距離だけ被壁掛け部材側取付け部が移動した第２の状態において、被壁掛け部材側取付け部が壁面側取付け部による掛止から解除されるように構成されている。
【００１８】
上記本発明の第１の局面に基づく壁掛け構造にあっては、掛止状態から上記第２の状態に至るまでの間、被壁掛け部材と壁面との間の距離が実質的に一定に保たれるように構成されていることが好ましい。
【００１９】
上記本発明の第１の局面に基づく壁掛け構造にあっては、被壁掛け部材側取付け部は、被壁掛け部材の背面に取付けられる壁掛け具にて構成されていることが好ましい。
【００２０】
上記本発明の第１の局面に基づく壁掛け構造にあっては、壁面側取付け部は、壁面に取付けられる壁掛け具にて構成されていることが好ましい。
【００２１】
本発明の第１の局面に基づく壁掛け具は、被壁掛け部材を壁面に着脱自在に取付けるものであって、壁面側壁掛け具と被壁掛け部材側壁掛け具とからなる。壁面側壁掛け具は、被壁掛け部材側壁掛け具が壁面側壁掛け具に掛止された掛止状態から、鉛直方向上向きに第１の距離だけ移動可能となるように、被壁掛け部材側壁掛け具の移動を案内する第１案内部と、上記第１の距離だけ被壁掛け部材側壁掛け具が移動した第１の状態において、被壁掛け部材側壁掛け具が水平方向に第２の距離だけ移動可能となるように、被壁掛け部材側壁掛け具の移動を案内する第２案内部とを有している。そして、本壁掛け具においては、上記第２の距離だけ被壁掛け部材側壁掛け具が移動した第２の状態において、被壁掛け部材側壁掛け具が壁面側壁掛け具による掛止から解除されるように構成されている。
【００２２】
上記本発明の第１の局面に基づく壁掛け具にあっては、掛止状態から上記第２の状態に至るまでの間、被壁掛け部材と壁面との間の距離が実質的に一定に保たれるように構成されていることが好ましい。
【００２３】
本発明の第２の局面に基づく壁掛け構造は、被壁掛け部材に設けられた被壁掛け部材側取付け部と、壁面に設けられた壁面側取付け部とを用い、被壁掛け部材を壁面に着脱自在に取付けるものである。壁面側取付け部は、壁面に設けられた第１ベース部と、第１ベース部から被壁掛け部材側に向かって突出して設けられ、先端が上方に向かって折り曲げられた掛止部と、第１ベース部から被壁掛け部材側に向かって突出して設けられた第１爪部とを有している。被壁掛け部材側取付け部は、被壁掛け部材に設けられた第２ベース部と、第２ベース部から壁面側に向かって突出して設けられ、先端が下方に向かって折り曲げられた被掛止部と、第２ベース部から壁面側に向かって突出して設けられた第２爪部とを有している。また、被掛止部の先端は、掛止部を受け入れる切欠き部を含んでいる。第１爪部は、掛止部が切欠き部に受け入れられた状態において、第２爪部の鉛直上方に距離を置いて位置し、かつ掛止部が鉛直方向上向きに移動し切欠き部から外れた状態において、第２爪部に当接するように構成されている。そして、本取付け構造においては、掛止部が切欠き部に受入れられた状態において、被壁掛け部材が壁面に固定され、掛止部が切欠き部から外れた状態において、被壁掛け部材側取付け部を水平方向に移動させることにより、被壁掛け部材が壁面から取り外されるように構成されている。
【００２４】
上記本発明の第２の局面に基づく壁掛け構造にあっては、掛止部および第１爪部が第１ベース部にそれぞれ左右一対設けられていることが好ましく。またこれに合わせ、被掛止部および第２爪部が第２ベース部にそれぞれ左右一対設けられていることが好ましい。
【００２５】
上記本発明の第２の局面に基づく壁掛け構造にあっては、被壁掛け部材側取付け部は、被壁掛け部材の背面に取付けられる壁掛け具にて構成されていることが好ましい。
【００２６】
上記本発明の第２の局面に基づく壁掛け構造にあっては、壁面側取付け部は、壁面に取付けられる壁掛け具にて構成されていることが好ましい。
【００２７】
本発明の第２の局面に基づく壁掛け具は、被壁掛け部材を壁面に着脱自在に取付けるものであって、壁面側壁掛け具と被壁掛け部材側壁掛け具とからなる。壁面側取付け部は、壁面に設けられた第１ベース部と、第１ベース部から被壁掛け部材側に向かって突出して設けられ、先端が上方に向かって折り曲げられた掛止部と、第１ベース部から被壁掛け部材側に向かって突出して設けられた第１爪部とを有している。被壁掛け部材側取付け部は、被壁掛け部材に設けられた第２ベース部と、第２ベース部から壁面側に向かって突出して設けられ、先端が下方に向かって折り曲げられた被掛止部と、第２ベース部から壁面側に向かって突出して設けられた第２爪部とを有している。また、被掛止部の先端は、掛止部を受け入れる切欠き部を含んでいる。第１爪部は、掛止部が切欠き部に受け入れられた状態において、第２爪部の鉛直上方に距離を置いて位置し、かつ掛止部が鉛直方向上向きに移動し切欠き部から外れた状態において、第２爪部に当接するように構成されている。そして、本壁掛け具においては、掛止部が切欠き部に受入れられた状態において、被壁掛け部材が壁面に固定され、掛止部が切欠き部から外れた状態において、被壁掛け部材側取付け部を水平方向に移動させることにより、被壁掛け部材が壁面から取り外されるように構成されている。
【００２８】
上記本発明の第２の局面に基づく壁掛け具にあっては、掛止部および第１爪部が第１ベース部にそれぞれ左右一対設けられていることが好ましく。またこれに合わせ、被掛止部および第２爪部が第２ベース部にそれぞれ左右一対設けられていることが好ましい。
【発明の効果】
【００２９】
上記本発明の第１または第２の局面に基づく壁掛け構造とすることにより、被壁掛け部材と壁面との間に大きな隙間が生じることなく、かつ簡単には被壁掛け部材が壁面から脱落することのない壁掛け構造を構成することができる。このため、外観上の美観を確保した上で安全性にも優れた壁掛け構造を提供することが可能になる。また、上記本発明の第１または第２の局面に基づく壁掛け具を用いることにより、外観上の美観が確保されるとともに安全性にも優れた上記壁掛け構造を実現することが可能になる。
【発明を実施するための最良の形態】
【００３０】
以下、本発明の一実施の形態について、図を参照して説明する。本実施の形態においては、被壁掛け部材として空気清浄機を例示し、この空気清浄機を壁掛け具を用いて壁面に設置する場合について説明する。
【００３１】
（空気清浄機の外観構造）
図１は、本実施の形態における空気清浄機を前面側から見た概略斜視図であり、図２は、背面側から見た概略斜視図である。また、図３は、図１に示す空気清浄機のＩＩＩ−ＩＩＩ線に沿った概略縦断面図である。
【００３２】
まず、図１ないし図３を参照して、本実施の形態における空気清浄機の外観構造について説明する。図１および図３に示すように、本実施の形態における空気清浄機１００は、筐体１１０と、前面パネル１３０とを備えている。筐体１１０は、横長の前面開口の箱体からなり、内部に空気清浄機１００の主要部が納められている。図３に示すように、前面パネル１３０は、筐体１１０の前面１１１に設けられた吸込口１２１を覆うように、筐体１１０の前面１１１に着脱自在に取り付けられている。前面パネル１３０は、装置の動作時において送風ファンやモータにて発生する騒音が外部に漏れ出さないようにするための遮音部材として組付けられるものであり、同時に装置の外観上の美観を確保するものでもある。
【００３３】
図１ないし図３に示すように、筐体１１０の上面１１２には、吹出口１２５が設けられている。空気清浄機１００にて清浄化された空気は、この吹出口１２５から室内へと送風される。また、図１に示すように、筐体１１０の側面１１４には、空気清浄機１００の動作を切換えるための操作部１８１が配置されており、前面パネル１３０の所定位置には、空気清浄機１００の動作状態等を表示するための表示部１８２が配置されている。
【００３４】
図２に示すように、筐体１１０の背面１１３の所定位置からは、空気清浄機１００を動作させるために必要な電力の供給を受けるための電源コード１９１が引き出されており、その先端には電源プラグ１９２が形成されている。また、筐体１１０の背面１１３には、整列して設けられた複数の突条部１１７が位置している。この突条部１１７は、電源コード１９１の余剰部分を巻き付けることにより、電源コード１９１の長さを調節する部位である。
【００３５】
筐体１１０の背面１１３の上部所定位置には、後述する空気清浄機側壁掛け具を取付けるためのねじ穴１９７が設けられている。また、筐体１１０の背面１１３の下部所定位置には、クッション材１９８が貼付されている。
【００３６】
（空気清浄機の内部構造）
次に、図３を参照して、本実施の形態における空気清浄機の内部構造について説明する。図３に示すように、筐体１１０の内部には、仕切り板１１５が位置している。筐体１１０の内部空間は、この仕切り板１１５によって前方空間１２２と後方空間１２４とに分割されている。仕切り板１１５には、前方空間１２２と後方空間１２４とを連通する連通孔１２３が設けられている。なお、仕切り板１１５は、装置内部に取り込まれた空気の流路である通風路を形成するために、筐体１１０内に設けられる板状部材である。
【００３７】
吸込口１２１の後方でかつ仕切り板１１５の前方に位置する前方空間１２２には、各種のフィルタが積層保持されたフィルタ組品１４０が配置されている。仕切り板１１５の後方でかつ筐体１１０の背面１１３の前方に位置する後方空間１２４には、送風ファン１５１と、この送風ファン１５１を駆動する駆動源としてのモータ１５２が配置されている。送風ファン１５１は、モータ１５２の回転軸にビス等によって固定されている。モータ１５２はアングル等によって筐体１１０の背面１１３に固定されている。なお、上述の連通孔１２３は、仕切り板１１５の送風ファン１５１と対向する部分に位置している。
【００３８】
筐体１１０の上面１１２でかつ後方空間１２４の上部に対応する位置には、吹出口１２５が位置しており、この吹出口１２５には、空気清浄機１００から送風される空気の風向きを整えるルーバ１１６が設けられている。なお、図３においては図示を省略しているが、筐体１１０の後方空間１２４内には、負イオンおよび／または正イオンを後方空間１２４内を通過する空気に対して放出するイオン発生装置が配置されている。
【００３９】
なお、イオン発生装置においては、イオン発生素子に設けられた電極間に交流電圧を印加することにより、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）を主体としたイオンを生成する。本空気清浄機においては、これらを送風ファンにより空間に放出させる。
【００４０】
これらＨ+（Ｈ2Ｏ）m及びＯ2-（Ｈ2Ｏ）nは、浮遊菌の表面に付着し、下記式（１）〜式（３）に示すように化学反応して、活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中のカビや微生物等の浮遊菌を取り囲んで殺菌することができる。
【００４１】
【化１】
2005079469.tif 000003
【００４２】
これにより、活性種の分解作用によって浮遊菌が破壊される。従って、効率的に空気中の浮遊菌を殺菌することができる。本空気清浄機においては、以上のメカニズムにより、浮遊菌等の殺菌効果を得ることができる。
【００４３】
また、上記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００４４】
その他、正イオンと負イオンには、コクサッキーウィルス、ポリオウィルス、などのウィルス類も不活化する働きがあり、これらウィルスの混入による汚染が防止できる。また、正イオンと負イオンには、臭いのもととなる分子を分解する働きがあることも確かめられており、空間の脱臭にも利用できる。
【００４５】
（フィルタの構成）
図４は、本実施の形態における空気清浄機のフィルタの構成を示す模式図である。図４に示すように、各種フィルタは、前後方向に積層して配置された状態でフィルタ保持枠１４４によって保持され、空気清浄機１００の前方空間１２２に配置される。本実施の形態における空気清浄機１００にあっては、上記各種フィルタは、上流から順に、プレフィルタ１４１、脱臭フィルタ１４２、集塵フィルタ１４３の順で配置されている。
【００４６】
ここで、プレフィルタ１４１は、ステンレスや合成繊維等の細線を平織りすることによって形成されたフィルタであり、綿埃などの比較的大きい埃を捕獲する。脱臭フィルタ１４２は、活性炭などの脱臭機能を有する物質が内包されたフィルタであり、臭気成分を吸着することにより脱臭機能を発揮する。集塵フィルタ１４３には、たとえばＨＥＰＡフィルタが用いられ、空気中に含まれる細かい粒径の微粒子を捕獲する。なお、この集塵フィルタには、制菌機能を付加することも可能であり、このように構成した場合には、集塵フィルタ１４３に付着した細菌の繁殖を抑えることが可能である。
【００４７】
（空気清浄機の動作）
次に、図３を参照して、上記構成の空気清浄機の動作について説明する。上記構成の空気清浄機１００にあっては、送風ファン１５１がモータ１５２によって回転駆動されることにより、筐体１１０と前面パネル１３０との間の隙間から吸込口１２１を介して筐体１１０内部の前方空間１２２に空気が取り込まれる。取り込まれた空気は、フィルタ組品１４０を通過する際に塵や埃、臭い等が除去され、仕切り板１１５に設けられた連通孔１２３を介して後方空間１２４内へと導入される。後方空間１２４内に流入した空気には、イオン発生装置によって所定濃度の負イオンまたは／および正イオンが付加され、送風ファン１５１によって吹出口１２５から室内へと送風される。これにより、室内の空気の清浄化が行なわれる。なお、図３においては、空気の流れを矢印にて示している。
【００４８】
（空気清浄機の設置）
図５は、本実施の形態における空気清浄機を室内の壁面に設置した場合を示す模式図であり、図６は、室内の床面に設置した場合を示す模式図である。図５および図６に示すように、本実施の形態における空気清浄機１００は、室内の壁面４００に後述する壁掛け具を用いて取り付けるいわゆる「壁掛け式」の空気清浄機と、床面５００上や卓上にスタンド１９３を用いて設置するいわゆる「据置き式」の空気清浄機の兼用タイプである。したがって、ユーザの用途や室内の設置スペース等にあわせて適宜設置場所を変更することが可能である。
【００４９】
（壁掛け構造）
以下、上記空気清浄機の壁掛け構造およびこれを実現するための壁掛け具について詳細に説明する。
【００５０】
（Ａ．壁面側壁掛け具）
図７は、本実施の形態における壁面側壁掛け具の形状を示す斜視図である。図７に示すように、本実施の形態における壁面側壁掛け具２００は、たとえば、金属製の板金をプレス加工することによって成形される。
【００５１】
壁面側壁掛け具２００は、壁面４００に取付けられる第１ベース部２１０と、この第１ベース部２１０から前方に向かって突設された掛止部２２０および第１爪部２３０とを有している。掛止部２２０および第１爪部２３０は、第１ベース部２１０にそれぞれ左右一対設けられている。掛止部２２０の先端は、それぞれ上方に向かって折り曲げられている。また、第１ベース部２１０の所定位置には、この壁面側壁掛け具２００を壁面４００にねじ止めするためのねじ穴２４０が複数箇所設けられている。
【００５２】
第１ベース部２１０の一部を切り欠いて折り曲げて形成された掛止部２２０の先端近傍の側面は、空気清浄機１００を壁面４００から取り外す際に、後述する空気清浄機側壁掛け具３００の鉛直方向上向きの移動を案内する第１案内部２２１として機能する。また、同じく第１ベース部２１０の一部を切り欠いて折り曲げて形成された第１爪部２３０の下面は、空気清浄機１００を壁面４００から取り外す際に、後述する空気清浄機側壁掛け具３００の水平方向の移動を案内する第２案内部２３１として機能する。
【００５３】
（Ｂ．空気清浄機側壁掛け具）
図８は、本実施の形態における空気清浄機側壁掛け具の形状を示す斜視図である。図８に示すように、被壁掛け部材側壁掛け具としての空気清浄機側壁掛け具３００は、たとえば、金属製の板金をプレス加工することによって成形される。
【００５４】
空気清浄機側壁掛け具３００は、空気清浄機１００の筐体１１０の背面１１３に取付けられる第２ベース部３１０と、この第２ベース部３１０から後方に向かって突設された被掛止部３２０および第２爪部３３０とを有している。被掛止部３２０および第２爪部３３０は、第２ベース部３１０にそれぞれ左右一対設けられている。被掛止部３２０の先端は、それぞれ下方に向かって折り曲げられている。また、被掛止部３２０の先端の所定位置には、上記壁面側壁掛け具２００の掛止部２２０を受入れる切り欠き部３２１が設けられている。なお、第２ベース部３１０の所定位置には、この空気清浄機側壁掛け具３００を空気清浄機１００の筐体１１０の背面１１３にねじ止めするためのねじ穴３４０が複数箇所設けられている。
【００５５】
（Ｃ．壁掛け具の固定）
図９は、上記空気清浄機側壁掛け具を空気清浄機に取付けた状態を示す空気清浄機の背面図である。図９に示すように、空気清浄機側壁掛け具３００は、その前面が空気清浄機１００の筐体１１０の背面１１３に当接した状態で、ねじ３５０によって空気清浄機１００の背面１１３に固定される。この状態において、空気清浄機側壁掛け具３００の被掛止部３２０および第２爪部３３０は、空気清浄機１００の筐体１１０の背面１１３から後方に突出して位置することになる。
【００５６】
一方、壁面側壁掛け具２００は、その背面が壁面４００に当接した状態で、ねじ２５０によって壁面４００に固定される（図１０参照）。この状態において、壁面側壁掛け具２００の掛止部２２０および第１爪部２３０は、壁面４００から前方に突出して位置することになる。
【００５７】
（Ｄ．壁掛け動作）
図１０は、空気清浄機の壁掛け動作を説明するための模式図である。また、図１１は、壁掛け動作によって壁面側壁掛け具に空気清浄機側壁掛け具が掛止される様子を示す模式図である。なお、図１１においては、壁面側壁掛け具２００を実線にて表わしており、空気清浄機側壁掛け具を二点鎖線にて表わしている。
【００５８】
図１０に示すように、空気清浄機１００を壁面４００に設置する場合には、まず、空気清浄機１００の筐体１１０の背面１１３が壁面４００に面するように空気清浄機１００を把持し、空気清浄機１００の筐体１１０の背面１１３に予め取付けた空気清浄機側壁掛け具３００が、壁面４００に予め取付けた壁面側壁掛け具２００に引っ掛かるように、空気清浄機１００を持ち上げて壁面４００側に移動させ、下方（図中、矢印Ａ１方向）に向かって僅かに降ろす。この動作により、図１１（ａ）に示すように、壁面側壁掛け具２００の掛止部２２０に空気清浄機側壁掛け具３００の被掛止部３２０の一部が引っ掛かる。
【００５９】
なお、上記操作においては、壁面側壁掛け具２００に設けられた第１爪部２３０と空気清浄機側壁掛け具３００に設けられた第２爪部３３０とが接触しないように、空気清浄機側壁掛け具３００の中心位置と壁面側壁掛け具２００の中心位置とが僅かにずれた状態で引っ掛ける。このため、図１１（ａ）に示す状態においては、壁面側壁掛け具２００の掛止部２２０は、空気清浄機側壁掛け具３００の被掛止部３２０の先端に設けられた切欠き部３２１内には挿入されないことになる。
【００６０】
次に、図１０および図１１（ａ）に示すように、水平方向の左右いずれか一方向（図中、矢印Ａ２方向）に空気清浄機１００をスライドさせる。このとき、図１１（ａ）に示すように、空気清浄機側壁掛け具３００の被掛止部３２０の先端部分（切欠き部３２１が形成された部分を除く）の一部が、壁面側壁掛け具２００の掛止部２２０に当接しているため、空気清浄機１００のスムーズな移動が実現される。
【００６１】
そして、空気清浄機１００をスライドさせ、図１１（ｂ）に示すように、被掛止部３２０の先端に設けられた切欠き部３２１が掛止部２２０に対応する位置にまで来ると、自重により空気清浄機１００が下方（図中、矢印Ａ３方向）に移動し、掛止部２２０が切欠き部３２１内に嵌まり込み、図１１（ｃ）に示す状態（掛止状態）となる。
【００６２】
以上の動作により、壁面側壁掛け具２００の掛止部２２０によって空気清浄機側壁掛け具３００の被掛止部３２０が掛止され、この結果、空気清浄機１００が壁面４００に設置されることになる。
【００６３】
（Ｅ．脱落防止構造）
図１２は、掛止状態にある空気清浄機を側方から見た図である。また、図１３は、図１２中に示す領域ＸＩＩＩの拡大図である。なお、理解を容易とするために、図１２および図１３においては取付け用のねじの図示を省略している。
【００６４】
図１２および図１３に示すように、掛止状態においては、空気清浄機１００の上部において、筐体１１０の背面１１３に取付けられた空気清浄機側壁掛け具３００の被掛止部３２０が、壁面４００に取付けられた壁面側壁掛け具２００の掛止部２２０に引っ掛けられて掛止されることにより、空気清浄機１００が壁面４００に固定されている。この状態において、空気清浄機側壁掛け具３００の第２爪部３３０の先端は壁面側壁掛け具２００の第１ベース部２１０に当接しており、これにより、空気清浄機１００の筐体１１０の背面１１３が壁面４００と略平行に保たれている。また、図示する掛止状態においては、壁面側壁掛け具２００の第１爪部２３０と、空気清浄機側壁掛け具３００の第２爪部３３０とは当接しておらず、第２爪部３３０の上方に距離を置いて第１爪部２３０が位置している。なお、空気清浄機１００の下部においては、筐体１１０の背面１１３に貼付されたクッション材１９８が壁面４００に当接している。
【００６５】
本壁掛け構造においては、何らかの外力が空気清浄機に加わった場合にも簡単には空気清浄機が壁面から脱落することがないように工夫されている。すなわち、本壁掛け構造にあっては、空気清浄機１００が上方に持ち上げられた場合に、空気清浄機側壁掛け具３００の第２爪部３３０の上面が壁面側壁掛け具２００の第１爪部２３０の下面に当接し、それ以上、空気清浄機１００が上方に持ち上げられることがないように構成されている。このため、掛止部２２０による被掛止部３２０の掛止が解除されず、空気清浄機１００の壁面４００からの脱落が防止されるようになる。
【００６６】
（Ｆ．取り外し動作）
図１４は、空気清浄機の壁面からの取り外し動作を説明するための模式図である。また、図１５は、取り外し動作によって壁面側壁掛け具による空気清浄機側壁掛け具の掛止が解除される様子を示す模式図である。なお、図１５においては、壁面側壁掛け具２００を実線にて表わしており、空気清浄機側壁掛け具を二点鎖線にて表わしている。
【００６７】
本壁掛け構造では、所定の掛止解除動作を行なわない限り、簡単には空気清浄機が壁面から外れないように構成されている。本壁掛け構造における掛止解除動作は、上述の従来例の掛止解除動作とは大きく異なる。以下、本壁掛け構造における掛止解除動作について、図１４および図１５を参照して詳細に説明する。
【００６８】
図１４に示すように、空気清浄機１００を壁面４００から取り外す場合には、まず、空気清浄機１００の筐体１１０を把持し、鉛直上方（図中、矢印Ｂ１方向）に持ち上げる。この動作により、図１５（ａ）に示すように、空気清浄機１００の筐体１１０の背面１１３に取付けられている空気清浄機側壁掛け具３００も鉛直上方に移動し、壁面側壁掛け具２００の掛止部２２０が空気清浄機側壁掛け具３００の被掛止部３２０の先端に設けられた切欠き部３２１から外れた状態（図１５（ｂ）に示す状態）となる。この状態を第１の状態と称する。
【００６９】
図１５（ａ）に示す掛止状態から図１５（ｂ）に示す第１の状態にまで空気清浄機側壁掛け具３００が移動するに際し、空気清浄機側壁掛け具３００は、壁面側壁掛け具２００の第１案内部２２１（図７参照）によって案内される。具体的には、切欠き部３２１の側面が、掛止部２２０の側面である第１案内部２２１によって案内されるため、空気清浄機側壁掛け具３００は鉛直方向上向きにのみ移動する。そして、距離Ｌ１だけ移動することにより、空気清浄機側壁掛け具３００に設けられた第２爪部３３０の上面が、壁面側壁掛け具２００に設けられた第１爪部２３０の下面に当接し、空気清浄機側壁掛け具３００の移動が規制される。
【００７０】
次に、図１４に示すように、上記距離Ｌ１だけ空気清浄機側壁掛け具３００が移動した第１の状態において、空気清浄機１００を水平方向の左右いずれか一方向（図中、矢印Ｂ２方向）にスライドさせる。この動作により、図１５（ｂ）に示すように、空気清浄機１００の筐体１１０の背面１１３に取付けられている空気清浄機側壁掛け具３００も水平方向に移動する。
【００７１】
このとき、少なくもと第１爪部２３０と第２爪部３３０との当接が解除される距離だけ、空気清浄機１００をスライドさせる。本壁掛け構造においては、壁面側壁掛け具２００の掛止部２２０が、空気清浄機側壁掛け具を空気清浄機１００の筐体１１０の背面１１３に取付けるために用いたねじ３５０に当たるまで、空気清浄機１００をスライドさせる（図１５（ｃ）参照）。このスライド後の状態（図１５（ｃ）に示す状態）を第２の状態と称する。
【００７２】
図１５（ｂ）に示す第１の状態から図１５（ｃ）に示す第２の状態にまで空気清浄機側壁掛け具３００が移動するに際し、空気清浄機側壁掛け具３００は、壁面側壁掛け具２００の第２案内部２３１（図７参照）によって案内される。具体的には、第１爪部３３０の上面が、第１爪部２３０の下面である第２案内部２３１によって案内されるため、空気清浄機側壁掛け具３００は水平方向にのみ移動する。そして、距離Ｌ２だけ移動することにより、第１爪部２３０と第２爪部３３０の当接が解除される。
【００７３】
そして、第２の距離だけ空気清浄機側壁掛け具３００が移動した第２の状態において、図１４に示すように、空気清浄機１００を鉛直上方（図中、矢印Ｂ３方向）に持ち上げることにより、壁面側壁掛け具２００の掛止部２２０による空気清浄機側壁掛け具３００の被掛止部３２０の掛止が解除され、壁面４００から空気清浄機１００が取り外される。
【００７４】
（Ｇ．本壁掛け構造による作用・効果）
以上において説明した壁掛け構造および壁掛け具を用いることにより、空気清浄機の背面と壁面との間の隙間が従来に比べて大幅に小さくなるとともに、空気清浄機に何らかの外力が加わった場合にも簡単には空気清浄機が壁面から脱落しないようになる。このため、外観上の美観を確保した上で安全性にも優れた壁掛け構造を実現することが可能になる。
【００７５】
また、上記壁掛け構造においては、壁面側壁掛け具において掛止部を左右一対設け、また、空気清浄機側壁掛け具においても被掛止部を左右一対設けているため、設置安定性が大幅に増す効果が得られる。
【００７６】
また、上記壁掛け構造を採用することにより、上記掛止状態から第２の状態に至るまでの間、空気清浄機の背面と壁面との間の距離が実質的に一定に保たれるようになる。従来においては、空気清浄機を斜めに傾斜させた状態で取り外す必要があったため、空気清浄機のような重量物を傾斜させて把持する必要があり、作業者の手首に大きな負担を強いていた。しかしながら、上記壁掛け構造を採用した場合には、取り外し作業時に空気清浄機を斜めに傾斜させた状態で把持する必要がなくなるため、作業が非常に行ない易くなる効果も得られる。
【００７７】
さらに、本壁掛け構造を採用した場合には、空気清浄機を壁面に取付ける際に、水平方向の左右いずれか一方にスライドさせて固定することが可能になるため、部屋の隅に空気清浄機を設置することが可能になる。具体的には、図１６に示すように、空気清浄機１００が設置される設置面４１０に隣接する隣接面４２０に限りなく近いところにまで空気清浄機を設置することが可能になるため、自由な設置レイアウトが実現されるようになる。
【００７８】
上述の実施の形態においては、第２の状態から空気清浄機を上方に持ち上げることによって空気清浄機が壁面から取り外されるように構成した場合を例示して説明を行なったが、横方向または下方等に移動させることにより、空気清浄機が壁面から取り外されるように構成することも当然に可能である。
【００７９】
また、上述の実施の形態においては、被壁掛け部材として空気清浄機を例示して説明を行なったが、本発明の適用対象はこれに限定されるものではない。たとえば、空気調和機、除湿機、加湿器等の空気調節装置や、電話機、オーディオ機器、照明機器等の電気機器、額縁、看板、掲示板、空気調和機の室外機、棚など、壁面に設置される物であればどのような物に対しても本発明を適用することが可能である。特に、重量のある重量物を壁面に設置する場合には、本発明に基づく壁掛け構造が有効である。
【００８０】
さらに、上述の実施の形態においては、被壁掛け部材側壁掛け具および壁面側壁掛け具を準備し、これらを用いて壁掛け構造を実現する構成とした場合を例示して説明を行なったが、必ずしもこれら壁掛け具を準備する必要はない。たとえば、上記壁面側壁掛け具に相当する形状を有する壁面側取付け部を壁面に一体的に形成し、上記被壁掛け部材側壁掛け具に相当する形状を有する被壁掛け部材側取付け部を被壁掛け部材に一体的に形成した構成としてもよい。
【００８１】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００８２】
【図１】空気清浄機を前面側から見た概略斜視図である。
【図２】空気清浄機を背面側から見た概略斜視図である。
【図３】図１に示す空気清浄機のＩＩＩ−ＩＩＩ線に沿った概略縦断面図である。
【図４】空気清浄機のフィルタの構成を示す模式図である。
【図５】空気清浄機を室内の壁面に設置した場合を示す模式図である。
【図６】空気清浄機を室内の床面に設置した場合を示す模式図である。
【図７】壁面側壁掛け具の形状を示す斜視図である。
【図８】空気清浄機側壁掛け具の形状を示す斜視図である。
【図９】空気清浄機側壁掛け具を空気清浄機に取付けた状態を示す空気清浄機の背面図である。
【図１０】空気清浄機の壁掛け動作を説明するための模式図である。
【図１１】壁掛け動作によって壁面側壁掛け具に空気清浄機側壁掛け具が掛止される様子を示す模式図である。
【図１２】掛止状態にある空気清浄機を側方から見た図である。
【図１３】図１２中に示す領域ＸＩＩＩの拡大図である。
【図１４】空気清浄機の壁面からの取り外し動作を説明するための模式図である。
【図１５】取り外し動作によって壁面側壁掛け具による空気清浄機側壁掛け具の掛止が解除される様子を示す模式図である。
【図１６】空気清浄機を部屋の隅に設置した状態を示す模式図である。
【図１７】従来の空気清浄機の壁掛け構造において用いられる壁面側壁掛け具の正面図である。
【図１８】従来の空気清浄機の壁掛け構造において用いられる空気清浄機側壁掛け具の背面図である。
【図１９】従来の空気清浄機の壁掛け構造を示す模式側面図である。
【図２０】従来の空気清浄機の壁掛け構造において、空気清浄機を壁面から取り外す場合の掛止解除動作を示す模式図である。
【符号の説明】
【００８３】
１００  空気清浄機、１１０  筐体、１１１  前面、１１２  上面、１１３  背面、１１４  側面、１１５  仕切り板、１１６  ルーバ、１１７  突条部、１２１  吸込口、１２２  前方空間、１２３  連通孔、１２４  後方空間、１２５  吹出口、１３０  前面パネル、１４０  フィルタ組品、１４１  プレフィルタ、１４２  脱臭フィルタ、１４３  集塵フィルタ、１４４  フィルタ保持枠、１５１  送風ファン、１５２  モータ、１８１  操作部、１８２  表示部、１９１  電源コード、１９２  電源プラグ、１９３  スタンド、１９７  ねじ穴、１９８  クッション材、２００  壁面側壁掛け具、２１０  第１ベース部、２２０  掛止部、２２１  第１案内部、２３０  第１爪部、２３１  第２案内部、２４０  ねじ穴、２５０  ねじ、３００  空気清浄機側壁掛け具、３１０  第２ベース部、３２０  被掛止部、３２１  切欠き部、３３０  第２爪部、３４０  ねじ穴、３５０  ねじ、４００  壁面、４１０  取付け面、４２０  隣接面、５００  床面。
【図１】
2005079469.tif 000004
【図２】
2005079469.tif 000005
【図３】
2005079469.tif 000006
【図４】
2005079469.tif 000007
【図５】
2005079469.tif 000008
【図６】
2005079469.tif 000009
【図７】
2005079469.tif 000010
【図８】
2005079469.tif 000011
【図９】
2005079469.tif 000012
【図１０】
2005079469.tif 000013
【図１１】
2005079469.tif 000014
【図１２】
2005079469.tif 000015
【図１３】
2005079469.tif 000016
【図１４】
2005079469.tif 000017
【図１５】
2005079469.tif 000018
【図１６】
2005079469.tif 000019
【図１７】
2005079469.tif 000020
【図１８】
2005079469.tif 000021
【図１９】
2005079469.tif 000022
【図２０】
2005079469.tif 000023